(57)【特許請求の範囲】
【請求項１】
ハウジングが上部ケースと下部ケースとで構成され、上部ケース内には、固定接点が取り付けられているとともに、この固定接点に接離する可動接点を備えた接点支えが収納され、下部ケース内には、固定鉄心と、この固定鉄心に取り付けられて筒体の上下端につば部を備えたスプールと、このスプールに巻き付けられたコイルと、で構成される電磁石が収納され、下部ケース内の電磁石の上方で横方向に延びる横腕と、この横腕の一端から上方に延びて先端が上部ケース内の接点支えに当接する縦腕と、スプールの上部に設けた溝に嵌合されて回動軸となる軸部と、で構成される可動鉄片が、スプールの溝に嵌合された軸部を支点として回動することにより、接点支えが移動して固定接点と可動接点が接離する電磁接触器において、
下部ケースの上端の開口形状および上部ケースの下端の開口形状は長方形であり、
スプールの上端つば部の上面の、可動鉄片の横腕を両側面から挟む位置に、一対の側板が横腕の側面と平行に固定され、この側板は、長さが下部ケース上端の幅（前記長方形の一辺であって、横腕の側面を正面としたときの左右方向の内部寸法）より僅かに小さい寸法で、幅が上端つばの上端ラインと下部ケースの上端ラインとの間隔より僅かに小さい寸法の、細長い長方形の板材であって、その長手方向一端に、前記溝を形成する溝部材に合わせた切欠部が形成され、
両側板の長手方向両端の上面に突起が固定され、
各側板の長手方向一端の突起は、上部ケースの角部をなす二面にそれぞれ接する接触面を有し、他端の突起は、上部ケースの角部をなす二面のうち側板の板面と対向する面に接する接触面と、側板の長手方向端面と対向する面に接触する尖端部と、を有することを特徴とする電磁接触器。
【発明の詳細な説明】
【０００１】
【発明の属する技術分野】
本発明は、電動機などの開閉に用いる電磁接触器のスプール構造に関するものである。
【０００２】
【従来の技術】
図５は、従来の電磁接触器のハウジング内部を示す概略構成図である。
ハウジング１は上部ケース１１と下部ケース１２とで構成され、上部ケース１１の下端に絶縁板２が固定され、その上に接点支え３が左右に移動自在に設置されている。接点支え３には、接触ばね３１を介して可動接点３２が取り付けてあり、接点支え３と上部ケース１１との間には、復帰ばね４が介装されている。また、上部ケース１１内には、上部ケース１１側に固定された固定接点５が可動接点３２の左側に対向する位置に配置されている。
【０００３】
下部ケース１２内には、固定鉄心６１とスプール６２とコイル６３とで構成される電磁石が収納されている。固定鉄心６１は、所定間隔を開けて並べた３本の脚部６１ａ，６１ｂ，６１ｃとこれらの下端をつなぐヨーク６１ｄとで構成され、中央の脚部６１ｂに、筒体６２ａの上下端につば部６２ｂ，６２ｃを備えたスプール６２が取り付けられている。スプールの下端つば部６２ｃは、中央の脚部６１ｂと両側の脚部６１ａ，６１ｃとの間に納まる幅に形成されているが、上端つば部６２ｂの右側部分は右側脚部６１ｃの位置まで延び、その上部に、後述の可動鉄片７の軸部７１を嵌合する溝６２ｄが設けてある。また、スプール６２の筒体６２ａにはコイル６３が巻き付けられている。
【０００４】
可動鉄片７は、電磁石の作動により回動して接点支え３を移動させるものであり、スプール６２の溝６２ｄに嵌合された軸部７１と、固定鉄心６１と絶縁板２の間に配置されて横方向に延びる横腕７２と、横腕７２の右端から斜め上方内側（左側）に「Ｖ」字状に曲がり、その先端が僅かに外側に曲がった縦腕７３と、で構成され、縦腕７３の先端は、上部ケース１１内の接点支え３の溝部３３内にあり、接点支え３に当接している。
【０００５】
したがって、コイル６３を励起させると、可動鉄片７の横腕７２が固定鉄心６１に吸引されて軸部７１を支点として反時計回りに回動するため、縦腕７３が接点支え３を左側に移動させる。これにより、可動接点３２が移動して固定接点５に接触し、主回路が閉じる。ここで、接触ばね３１は可動接点３２を常時左向きに付勢させ、接点間の接触を良好に保持している。
【０００６】
コイル６３の励起を止めると、固定鉄心６１の吸引力がなくなるため、復帰ばね４が接点支え３を右側に移動させる。これにより、可動鉄片７が時計方向に回動するとともに、可動接点３２が固定接点５から離れて、主回路が開く。
【０００７】
また、図６に示すように、上部ケース１１の外側には突起１１ａが、下部ケース１２の上部にはこの突起１１ａを嵌め入れる枠部１２ａが設けてあり、上部ケース１１の突起１１ａを下部ケース１２の枠部１２ａに嵌め入れることにより、ハウジング１が組み立てられるようになっている。
【０００８】
【発明が解決しようとする課題】
このような電磁接触器において、固定接点と可動接点との隙間（開離時）および接触度合（接触時）は、ハウジングをなす下部ケースと上部ケースとの組立精度、固定鉄心およびスプールの下部ケース内での設置位置、スプールの溝位置、溝と可動鉄片の軸部との隙間、各構成部材の寸法精度などによって決まり、これらのバラツキが大きいと、前記隙間および接触度合が設計値から大きく外れて接離性能に影響を及ぼす恐れがある。
【０００９】
本発明は、このような従来技術の問題点に着目してなされたものであり、スプールのハウジング内での配置精度のバラツキを減少させて、固定接点と可動接点との接離性能を良好にすることを課題とする。
【００１０】
【課題を解決するための手段】
上記課題を解決するために、本発明は、ハウジングが上部ケースと下部ケースとで構成され、上部ケース内には、固定接点が取り付けられているとともに、この固定接点に接離する可動接点を備えた接点支えが収納され、下部ケース内には、固定鉄心と、この固定鉄心に取り付けられて筒体の上下端につば部を備えたスプールと、このスプールに巻き付けられたコイルと、で構成される電磁石が収納され、下部ケース内の電磁石の上方で横方向に延びる横腕と、この横腕の一端から上方に延びて先端が上部ケース内の接点支えに当接する縦腕と、スプールの上部に設けた溝に嵌合されて回動軸となる軸部と、で構成される可動鉄片が、スプールの溝に嵌合された軸部を支点として回動することにより、接点支えが移動して固定接点と可動接点が接離する電磁接触器において、下部ケースの上端の開口形状および上部ケースの下端の開口形状は長方形であり、スプールの上端つば部の上面の、可動鉄片の横腕を両側面から挟む位置に、一対の側板が横腕の側面と平行に固定され、この側板は、長さが下部ケース上端の幅（前記長方形の一辺であって、横腕の側面を正面としたときの左右方向の内部寸法）より僅かに小さい寸法で、幅が上端つばの上端ラインと下部ケースの上端ラインとの間隔より僅かに小さい寸法の、細長い長方形の板材であって、その長手方向一端に、前記溝を形成する溝部材に合わせた切欠部が形成され、両側板の長手方向両端の上面に突起が固定され、各側板の長手方向一端の突起は、上部ケースの角部をなす二面にそれぞれ接する接触面を有し、他端の突起は、上部ケースの角部をなす二面のうち側板の板面と対向する面に接する接触面と、側板の長手方向端面と対向する面に接触する尖端部と、を有することを特徴とする電磁接触器を提供する。
【００１３】
【発明の実施の形態】
以下、本発明の実施形態について説明する。
図１は、この実施形態における電磁接触器を示す概略構成図であり、図２および図３は、本発明の一実施形態に相当するスプール構造を示す平面図および正面図であり、図４は、このスプールの上部ケースに対する取付状態を示す平面図である。
【００１４】
図１の電磁接触器は、スプール構造以外の点では、図５に示す前述の従来の電磁接触器と同じである。スプール構造は以下のようになっている。
このスプール６２は、従来のスプールと同様に、上端つば部６２ｂの右側部分の奥行き方向（図２の上下方向）両端部を固定鉄心６１の右側脚部６１ｃの位置まで延ばし、その部分を、可動鉄片７の軸部７１を嵌合する溝部材６２ｅに形成している。この溝部材６２ｅは、断面略「コ」の字状で上方に開口した溝６２ｄを備え、この溝６２ｄの左側部分は上方に立ち上がって、その先端が右側に曲がり、溝６２ｄの左側上方を少し塞ぐ突起６２ｆを形成している。この突起６２ｆにより、可動鉄片７の軸部７１が溝６２ｄから外れ難いようになっている。
【００１５】
また、上端つば部６２ｂの上面の、可動鉄片７の横腕７２を両側面から挟む位置に、一対の側板８が横腕７２の側面と平行に固定されている。この側板８は、長さが下部ケース１２上端の幅（図１の左右方向の内部寸法）より僅かに小さい寸法で、幅が上端つば６２ｂの上端ラインＬ1 と下部ケース１２の上端ラインＬ2 との間隔より僅かに小さい寸法の、細長い長方形の板材であって、その長手方向一端に、溝部材６２ｅに合わせた大きさの長方形の切欠部８１が形成されている。両側板８は、この切欠部８１を右下側にして溝部材６２ｅの上部に被せた状態で、上端つば部６２ｂの上に固定されており、その左端は固定鉄心６１の左側脚部６１ａより僅かに外側まで延びている。
【００１６】
両側板８の長手方向両端の上面には突起８２，８３が固定されている。図２および図４から分かるように、両側板８の右端の突起８２は、上部ケース１１の右角部１１０をなす二つの内面１１０ａ，１１０ｂにそれぞれ接する接触面８２ａ，８２ｂを有し、左端の突起８３は、上部ケース１１の左角部１１１をなす二つの内面１１１ａ，１１１ｂのうち側板８の板面と対向する面１１１ａに接する接触面８３ａと、側板８の長手方向端面と対向する面１１１ｂに接触する三角形の尖端部８３ｂを有する。各側板８の両端の突起８２，８３間の寸法（突起８３の尖端点と突起８２の右側接触面８２ｂとの距離）は、上部ケース１１の幅方向（図４の左右方向）内部寸法に等しく、両側板８の右端の突起８２同士の接触面８２ａ間および左端の突起８３同士の接触面８３ａ間の寸法は、上部ケース１１の奥行き方向（図４の上下方向）内部寸法に等しい。
【００１７】
したがって、このスプール６２の筒体６２ａを、下部ケース１２内に設置された固定鉄心６１の中央脚部６１ｂに上側から嵌めることにより、四つの突起８２，８３が下部ケース１２の上端ラインＬ2 より上側に露出する。この状態で、スプール６２の溝６２ｄに軸部７１を嵌め入れることにより可動鉄片７を取り付け、その後に、その他の上部ケース１１内に配置される構成部材を配置し、上部ケース１１を下部ケース１２の上に被せれば、四つの突起８２，８３の露出部分の接触面８２ａ，８２ｂ，８３ａおよび尖端部８３ｂは、上部ケース１１の角部をなす内面１１０ａ，１１０ｂ，１１１ａ，１１１ｂにそれぞれ接触する。ここで、左端に配置された突起８３の尖端部８３ｂにより、全ての突起８２，８３が上部ケース１１内に容易に嵌め入れられる。そのため、スプール６２は上部ケース１１に対して容易に位置決めされる。その結果、スプール６２のハウジング１内での配置精度のバラツキが減少する。
【００１８】
なお、この実施形態では、上部ケース１１の四隅に対応させた四つの突起８２，８３をスプール６２に設けているが、これに加えて、上部ケース１１の内面の四隅以外の面に対応させた突起を設けてもよい。また、この実施形態では、左端に配置される突起８３の左面を三角形の尖端部８３ｂとしている。このような尖端部を設けると、上部ケースに対して突起を圧入状態とすることも可能となって、スプールのハウジング内での配置精度を非常に高くすることができる。
【００１９】
【発明の効果】
以上説明したように、本発明の電磁接触器によれば、スプールのハウジング内での配置精度のバラツキを減少させて、固定接点と可動接点との接離性能を良好にすることができる。
【図面の簡単な説明】
【図１】実施形態における電磁接触器を示す概略構成図である。
【図２】本発明の一実施形態に相当するスプール構造を示す平面図である。
【図３】本発明の一実施形態に相当するスプール構造を示す正面図である。
【図４】本発明の一実施形態に相当するスプールの上部ケースに対する取付状態を示す平面図である。
【図５】従来の電磁接触器を示す概略構成図である。
【図６】電磁接触器の外観（ハウジング）を示す正面図である。
【符号の説明】
１  ハウジング
１１  上部ケース
１２  下部ケース
１１ａ  突起
１２ｂ  枠部
１１０  上部ケースの右角部
１１０ａ  右角部をなす面
１１０ｂ  右角部をなす面
１１１  上部ケースの左角部
１１１ａ  左角部をなす面
１１１ｂ  左角部をなす面
２  絶縁板
３  接点支え
４  復帰ばね
５  固定接点
６１  固定鉄心
６１ａ  左側脚部
６１ｂ  中央脚部
６１ｃ  右側脚部
６１ｄ  ヨーク
６２  スプール
６２ａ  筒体
６２ｂ  上端つば部
６２ｃ  下端つば部
６２ｄ  溝
６２ｅ  溝部材
６２ｆ  突起
７  可動鉄片
７１  軸部
７２  横腕
７３  縦腕
８  側板（位置決め部材）
８１  切欠部
８２  突起（位置決め部材）
８３  突起（位置決め部材）
８２ａ  接触面
８２ｂ  接触面
８３ａ  接触面
８３ｂ  尖端部
【図１】
0003852159.tif 000002
【図２】
0003852159.tif 000003
【図３】
0003852159.tif 000004
【図４】
0003852159.tif 000005
【図５】
0003852159.tif 000006
【図６】
0003852159.tif 000007